(57)【特許請求の範囲】
【請求項１】
キャビネット等の開閉扉や引出し前板あるいは建物のドア等の可動体に固定される本体部と、前記本体部に回転可能に取付けられていて使用者が可動体の外側から回転操作できるダイヤルと、キャビネット等の筐体あるいは建物のドア枠等の不動体に係脱する施錠部材を駆動操作する摘みを備えるとともに、前記本体部の背面側に回転操作して解錠番号を設定できる自由設定状態と解錠番号が決まっている番号固定状態とに切り替え可能な切り替え部材を備え、前記可動体の内側から前記切り替え部材を回転操作できるようになっているダイヤル式符号錠であって、内部に空間を有し、前記切り替え部材に対応する位置に回転支持孔を形成した保持部材と、裏面側に前記切り替え部材に連結する係合部を形成するとともに、表面側にコインを係合可能なコイン係合溝を形成した操作部材とを備え、前記保持部材の回転支持孔に前記操作部材を回転可能に支持した状態で、前記本体部の背面側に前記保持部材を取付けるとともに、前記操作部材の係合部を前記切り替え部材に連結し、前記保持部材を隠蔽する裏カバーに形成した孔から前記コイン係合溝を露出させてなり、前記操作部材の回転により前記切り替え部材を自由設定状態と番号固定状態の間で操作可能となしたダイヤル式符号錠。
【請求項２】
前記本体部の背面側に前記摘みの操作によって前記施錠部材を駆動するカム板を備え、前記保持部材は、前記カム板と前記切り替え部材に対応する部位が後方へ張り出した突出部を備え、該突出部の前記切り替え部材に対応する位置に回転支持孔を形成するとともに、該突出部の左右両側壁に開口を形成したものであり、前記開口に前記施錠部材の基部をスライド可能に挿通して水平方向に案内するとともに、該施錠部材の基端部と前記カム板を係合して、該カム板の回転によって該施錠部材を駆動してなる請求項１記載のダイヤル式符号錠。
【請求項３】
前記切り替え部材が自由設定状態と番号固定状態になる両回転終端に対応させて、前記保持部材に突設した回転規制部に、前記操作部材の当止部が当止して回転規制をするとともに、前記操作部材に、前記切り替え部材が自由設定状態と番号固定状態になる両回転終端に位置したときに、クリック感を付与する弾性係合手段を設けてなる請求項１又は２記載のダイヤル式符号錠。
【請求項４】
前記切り替え部材は、時計回りと反時計回りに１８０度回転させることにより、自由設定状態と番号固定状態とに切り替え可能であり、前記保持部材に突設した一つの回転規制部に、前記操作部材に設けた二つの当止部が時計回りと反時計回りに１８０度回転させたときにそれぞれ当止する請求項３記載のダイヤル式符号錠。
【発明の詳細な説明】
【技術分野】
【０００１】
本発明は、ダイヤル式符号錠に係わり、更に詳しくはダイヤルを回転させて数字等の符号を合わせることで解錠でき、開錠時に符号を再設定することが可能なダイヤル式符号錠に関するものである。
【背景技術】
【０００２】
符号錠はダイヤル錠とも呼ばれており、外周に０〜９の数字が記された複数個（３個又は４個が多い）のダイヤルを備えた構成になっており、各ダイヤルの数字が設定値になると解錠される。すなわち、各ダイヤルの数字が設定値の状態では摘み等の操作で施錠部材を自由に動かすことができ、施錠部材をロック状態にして少なくとも１つのダイヤルを回転させると施錠状態になる。
【０００３】
そして、この符号錠の１つのタイプとして、使用者が使用するたびに新たな数字の組み合わせが可能になる自由設定状態と、解錠してもダイヤルの数字の組み合わせは変わらずに人は使用するたびに同じ数字を組み合わせて解錠する番号固定状態とに切り替えできるものがある（例えば特許文献１）。この切り替え式の符号錠は、例えば、使用のたびに使用者が異なる場合には自由設定状態にすることで安全性を確保し、使用者が一定している場合には番号固定状態とすることで番号設定の煩わしさを無くす、というように状況に応じて使用態様を変更できるため、重宝である。
【０００４】
解錠の番号を自由設定状態と番号固定状態とに切り替えできるタイプの符号錠において、自由設定状態と番号固定状態との切り替えを行う切り替え部材が設けられており、切り替え部材は、施錠状態では人目に触れない裏側に露出している。そして、切り替え部材の構造として、端面にマイナス溝を形成した回転式のものがあり、従来は、この切り替え部材を細いマイナスドライバーで回転させていた。さて、自由設定状態と番号固定状態とに切り替えできる符号錠は必要に応じて使用態様を切り替えできるため重宝であるが、例えば扉に設けた場合に、扉を開けた状態で人の身体や物が切り替え部材に触れて設定状態が知らないうちに変わってしまうようなことがあるのは良くない。従って、切り替え部材が細いドライバ（例えば先端の幅が２〜３ｍｍ）でしか回転操作できないような状態になっていることは、設定状態を維持するという点から合理性がある。
【０００５】
しかし、符号錠の使用者は常に細いドライバを所持しているという訳ではない。すなわち、先端の幅が５〜７ｍｍといった通常の大きさのドライバは所持していても細いドライバは特殊であるため所持していない場合や、大きさに関係なくドライバを所持していない場合がある。このため、従来の切り替え式符号錠は設定の変更に手間取る場合があり、ユーザーフレンドリー性に欠けていた。
【０００６】
この改善策として、特許文献２では、符号錠の本体部のうち施錠状態で人の目に触れない裏側か、又は、前記可動体のうち施錠状態で人の目に触れない裏側に、前記符号錠の切り替え部材を回転操作する操作具を脱落しない状態に保持できる保持部が設けられている符号錠付き家具が提案されている。ここで、前記操作具は、樹脂製で、先端に切り替え部材に係合するためのマイナスドライバー様の係合部を形成するとともに、基部に符号錠の本体部の裏側か、又は可動体の裏側に弾性的に保持できるようにクリップ片を一体的に設けた形状のものである。
【先行技術文献】
【特許文献】
【０００７】
【特許文献１】特開平６−２２１０３７号公報
【特許文献２】特開２００９−２１５８０７号公報
【発明の概要】
【発明が解決しようとする課題】
【０００８】
しかしながら、従来技術は、操作具の係合部の変形又は破損という課題がある。つまり、自由設定状態と番号固定状態とに切り替える際に、前記操作具を前記切り替え部材に係合させて、所定角度、通常は１８０度回転させれば良いが、それ以上に強く回転させようとすると、樹脂製の操作具の係合部が変形又は破損し、使用できなくなる恐れがある。例え符号錠の本体部の裏面に「自由（設定）」と「固定」の表示をしていても、前記操作具の回転位置の基準が明確でないので、前述の事態が発生する可能性を排除できないのである。反対に操作具を板金で作製して強度を高くすると、切り替え部材の過回転によって符号錠の内部が破損する場合もある。また、切り替え部材の係合部は、本体部の操作具挿入孔内に位置しているので、現在の状態を確認するのに、挿入孔内を覗き込む必要があった。そして、切り替え部材の状態確認が不十分なため、切り替え部材を自由設定状態のままにして施錠するといった誤った使用をすることもある。更に、前記操作具の紛失という問題は、着脱可能に保持している以上、完全には解決できないのである。
【０００９】
そこで、本発明が前述の状況に鑑み、解決しようとするところは、本体部の背面側に施錠部材を装着するために取付けた保持部材に、切り替え部材に連結した状態で操作部材を回転可能に常時設けることにより、前述の種々の問題を一挙に解決することが可能なダイヤル式符号錠を提供する点にある。
【課題を解決するための手段】
【００１０】
本発明は、前述の課題解決のために、キャビネット等の開閉扉や引出し前板あるいは建物のドア等の可動体に固定される本体部と、前記本体部に回転可能に取付けられていて使用者が可動体の外側から回転操作できるダイヤルと、キャビネット等の筐体あるいは建物のドア枠等の不動体に係脱する施錠部材を駆動操作する摘みを備えるとともに、前記本体部の背面側に回転操作して解錠番号を設定できる自由設定状態と解錠番号が決まっている番号固定状態とに切り替え可能な切り替え部材を備え、前記可動体の内側から前記切り替え部材を回転操作できるようになっているダイヤル式符号錠であって、内部に空間を有し、前記切り替え部材に対応する位置に回転支持孔を形成した保持部材と、裏面側に前記切り替え部材に連結する係合部を形成するとともに、表面側にコインを係合可能なコイン係合溝を形成した操作部材とを備え、前記保持部材の回転支持孔に前記操作部材を回転可能に支持した状態で、前記本体部の背面側に前記保持部材を取付けるとともに、前記操作部材の係合部を前記切り替え部材に連結し、前記保持部材を隠蔽する裏カバーに形成した孔から前記コイン係合溝を露出させてなり、前記操作部材の回転により前記切り替え部材を自由設定状態と番号固定状態の間で操作可能となしたダイヤル式符号錠を構成した（請求項１）。
【００１１】
更に、前記本体部の背面側に前記摘みの操作によって前記施錠部材を駆動するカム板を備え、前記保持部材は、前記カム板と前記切り替え部材に対応する部位が後方へ張り出した突出部を備え、該突出部の前記切り替え部材に対応する位置に回転支持孔を形成するとともに、該突出部の左右両側壁に開口を形成したものであり、前記開口に前記施錠部材の基部をスライド可能に挿通して水平方向に案内するとともに、該施錠部材の基端部と前記カム板を係合して、該カム板の回転によって該施錠部材を駆動してなるのである（請求項２）。
【００１２】
ここで、前記切り替え部材が自由設定状態と番号固定状態になる両回転終端に対応させて、前記保持部材に突設した回転規制部に、前記操作部材の当止部が当止して回転規制をするとともに、前記操作部材に、前記切り替え部材が自由設定状態と番号固定状態になる両回転終端に位置したときに、クリック感を付与する弾性係合手段を設けてなることがより好ましい（請求項３）。
【００１３】
そして、前記切り替え部材は、時計回りと反時計回りに１８０度回転させることにより、自由設定状態と番号固定状態とに切り替え可能であり、前記保持部材に突設した一つの回転規制部に、前記操作部材に設けた二つの当止部が時計回りと反時計回りに１８０度回転させたときにそれぞれ当止するのである（請求項４）。
【発明の効果】
【００１４】
以上にしてなる請求項１に係る発明のダイヤル式符号錠は、キャビネット等の開閉扉や引出し前板あるいは建物のドア等の可動体に固定される本体部と、前記本体部に回転可能に取付けられていて使用者が可動体の外側から回転操作できるダイヤルと、キャビネット等の筐体あるいは建物のドア枠等の不動体に係脱する施錠部材を駆動操作する摘みを備えるとともに、前記本体部の背面側に回転操作して解錠番号を設定できる自由設定状態と解錠番号が決まっている番号固定状態とに切り替え可能な切り替え部材を備え、前記可動体の内側から前記切り替え部材を回転操作できるようになっているダイヤル式符号錠であって、内部に空間を有し、前記切り替え部材に対応する位置に回転支持孔を形成した保持部材と、裏面側に前記切り替え部材に連結する係合部を形成するとともに、表面側にコインを係合可能なコイン係合溝を形成した操作部材とを備え、前記保持部材の回転支持孔に前記操作部材を回転可能に支持した状態で、前記本体部の背面側に前記保持部材を取付けるとともに、前記操作部材の係合部を前記切り替え部材に連結し、前記保持部材を隠蔽する裏カバーに形成した孔から前記コイン係合溝を露出させてなり、前記操作部材の回転により前記切り替え部材を自由設定状態と番号固定状態の間で操作可能となしたので、切り替え部材が自由設定状態と番号固定状態になった時点を裏カバーから露出した操作部材の外形で確認することができ、それ以上の回転させる必要がないことを見て判断でき、常に操作部材のコイン係合溝が保持部材を隠蔽する裏カバーの孔から露出しているので、従来のように操作具の挿入孔内を覗き込まなくても現在の状態を簡単に確認することができ、また操作部材が常に切り替え部材に連結されているので、動作不良を防止することができ、更に操作部材を紛失する恐れがないのである。
【００１５】
請求項２によれば、前記本体部の背面側に前記摘みの操作によって前記施錠部材を駆動するカム板を備え、前記保持部材は、前記カム板と前記切り替え部材に対応する部位が後方へ張り出した突出部を備え、該突出部の前記切り替え部材に対応する位置に回転支持孔を形成するとともに、該突出部の左右両側壁に開口を形成したものであり、前記開口に前記施錠部材の基部をスライド可能に挿通して水平方向に案内するとともに、該施錠部材の基端部と前記カム板を係合して、該カム板の回転によって該施錠部材を駆動してなるので、保持部材で施錠部材をスライド案内することができ、また切り替え部材やカム板を突出部の空間に収容することができる。
【００１６】
請求項３によれば、前記切り替え部材が自由設定状態と番号固定状態になる両回転終端に対応させて、前記保持部材に突設した回転規制部に、前記操作部材の当止部が当止して回転規制をするので、切り替え部材を自由設定状態と番号固定状態の回転位置に正確に止めることができ、前記切り替え部材の回転可能範囲を超えて操作部材を回転させる恐れがなく、切り替え部材と操作部材の係合部の変形や破損を防止でき、更には符号錠の内部の破損を防止できる。また、前記操作部材に、前記切り替え部材が自由設定状態と番号固定状態になる両回転終端に位置したときに、クリック感を付与する弾性係合手段を設けてなるので、前記操作部材を回転させて切り替え部材が自由設定状態と番号固定状態になったときに弾性係合手段によるクリック感を呈するので、感覚的にも切り替え部材あるいは操作部材が所定回転位置になったことを確認できる。
【００１７】
請求項４によれば、前記切り替え部材は、時計回りと反時計回りに１８０度回転させることにより、自由設定状態と番号固定状態とに切り替え可能であり、前記保持部材に突設した一つの回転規制部に、前記操作部材に設けた二つの当止部が時計回りと反時計回りに１８０度回転させたときにそれぞれ当止するので、視覚的にも感覚的にも切り替え部材あるいは操作部材が所定回転位置になったことを確認でき、各部の変形又は破損を未然に防止しまた動作不良もなくなるのである。
【図面の簡単な説明】
【００１８】
【図１】本発明の第１実施形態のダイヤル式符号錠をワゴンキャビネットの引出しに適用した例を示し、（ａ）は全体斜視図、（ｂ）は部分拡大斜視図である。
【図２】同じくワゴンキャビネットの正面図である。
【図３】第１実施形態のダイヤル式符号錠の分解斜視図である。
【図４】第１実施形態のダイヤル式符号錠を構成する保持部材を示し、（ａ）は保持部材の部分背面図、（ｂ）は（ａ）のＸ−Ｘ線断面図である。
【図５】第１実施形態のダイヤル式符号錠を構成する操作部材を示し、（ａ）は操作部材の平面図、（ｂ）は正面図、（ｃ）は側面図、（ｃ）は背面図である。
【図６】本発明の第２実施形態のダイヤル式符号錠をワゴンキャビネットの引出しに適用した例を示し、（ａ）は全体斜視図、（ｂ）は部分拡大斜視図である。
【図７】第２実施形態のダイヤル式符号錠の分解斜視図である。
【図８】第２実施形態のダイヤル式符号錠を装着した引出し前板の部分断面図である。
【図９】第２実施形態のダイヤル式符号錠の背面図である。
【図１０】第２実施形態のダイヤル式符号錠を構成する保持部材を示し、（ａ）は保持部材の部分背面図、（ｂ）は（ａ）のＹ−Ｙ線断面図である。
【図１１】第２実施形態のダイヤル式符号錠を構成する操作部材を示し、（ａ）は操作部材の平面図、（ｂ）は背面図である。
【図１２】第２実施形態のダイヤル式符号錠を構成する案内部材を示し、（ａ）は案内部材の背面図、（ｂ）は正面図、（ｃ）は（ｂ）のＺ−Ｚ線断面図、（ｄ）は案内部材と操作部材を組み合わせた状態の背面図である。
【図１３】第２実施形態のダイヤル式符号錠の操作例を示す説明図である。
【発明を実施するための形態】
【００１９】
次に、添付図面に示した実施形態に基づき、本発明を更に詳細に説明する。図１〜図５は本発明に係るダイヤル式符号錠の第１実施形態を示し、図中符号Ａはワゴンキャビネット、Ｂはダイヤル式符号錠、１はワゴンキャビネットの筐体、２は引出し、３は引出しの前板、４はダイヤル式符号錠の本体部、５は施錠部材、６は保持部材、７は操作部材、８はカバーをそれぞれ示している。
【００２０】
本実施形態では、ワゴンキャビネットＡにダイヤル式符号錠Ｂを組み込んだものを例示した。本発明における「不動体」及び「可動体」は、本実施形態ではそれぞれ「筐体１」、「引出し２の前板３」に対応しているが、これは一例を示したに過ぎない。本発明の適用範囲は広く一般的であり、キャビネットとその開口部を開閉する開閉扉、建物のドア枠とドアのような関係にあるものに適用できる。尚、本実施形態では、不動体はワゴンキャビネットＡの筐体１であり、全体が移動可能ではあるが、引出し２や開閉扉の動作に対して移動しない部分という意味である。
【００２１】
本実施形態におけるダイヤル式符号錠Ｂの本体部４には、回転可能に取付けられていて使用者が正面側から回転操作できるダイヤル９と、同じく正面側から前記施錠部材５を駆動操作する摘み１０を備えるとともに、背面側には前記施錠部材５を駆動するカム板１１と切り替え部材１２とを設け、該切り替え部材１２を回転操作して解錠番号を設定できる自由設定状態と解錠番号が決まっている番号固定状態とに切り替え可能になっている。
【００２２】
尚、前記切り替え部材１２はばねで外向き方向に付勢されていて若干の寸法だけ軸方向（前方向）に押し込まないと回転しないようになっており、また切り替え部材１２は、１８０度だけ時計回りと反時計回りに往復回転させることで自由設定状態と番号固定状態とに切り替わるようになっている。また、図示しないが、前記切り替え部材１２の端部にはマイナスドライバーを係合可能な係合溝が形成されている。前記ダイヤル式符号錠Ｂの本体部４は、一般に市販されているものを用いることができる。
【００２３】
本実施形態では、前記本体部４の背面側に、前記カム板１１に一端部を係合した施錠部材５を水平往復案内するための保持部材６を取付けるとともに、前記切り替え部材１２に常時連結した状態で前記保持部材６の背面側に操作部材７を回転可能に設けている。そして、前記ダイヤル９と摘み１０を前板３の前面側に露出させた状態で、前記本体部４を引出し２の前板３内に固定している。そして、前記前板３の背面側に位置する保持部材６の隠蔽するように前記カバー８を嵌着している。尚、前記カバー８には、前記操作部材７の形状に応じた位置決め用の係合孔１３が形成されている。
【００２４】
更に詳しくは、前記カム板１１は、前記摘み１０の「OPEN」と「CLOSE」の間の回転操作に応じて所定回転角度だけ回転するようになっており、該カム板１１の偏心位置に突設したピン１４が前記施錠部材５の基端部に形成した縦長の係合凹部１５に係合することで、該施錠部材５が水平方向に往復移動し、前記筐体１の側框の係合穴に係脱できるようになっている。
【００２５】
前記保持部材６は、図４に示すように、亜鉛ダイカスト製であり、内部に空間１６を有し、前記カム板１１と前記切り替え部材１２に対応する部位が後方へ張り出した突出部１７となっており、該突出部１７の左右両側壁に開口１８，１８を形成し、該開口１８，１８に前記施錠部材５の基部をスライド可能に挿通して水平方向に案内している。また、前記突出部１７で前記切り替え部材１２に対応する位置に、回転支持孔１９を形成するとともに、該回転支持孔１９の孔縁で突出部１７の背面に円弧状の回転規制部２０を突設している。また、前記回転支持孔１９の孔縁の一部に、前記操作部材７の初期位置決め用の切欠部２１を形成するとともに、前記回転規制部２０の中央部にクリック感を出すための弾性係合手段を構成する丸みを帯びた突起２２を形成している。尚、前記保持部材６は、アルミダイカストや板金等の金属又は合成樹脂で作製することも可能である。そして、前記保持部材６は、前記本体部４の背面側に背面から周囲４箇所でネジ止めされている。
【００２６】
そして、前記操作部材７は、図３及び図５に示すように、合成樹脂で一体成形された部品であり、円板状の操作部２３の中心部に前記保持部材６の回転支持孔１９に挿入可能な軸部２４を有する概略形状を有している。前記操作部２３の一部には、指掛けと位置確認用のレバー部２５を突設するとともに、円板部分にはコインを係合可能なコイン係合溝２６を形成している。そして、前記軸部２４には、前記回転支持孔１９を弾性的に通過し、挿入完了後には該回転支持孔１９の裏面側孔縁に回転スライド可能に係止する係止爪２７，２７を形成するとともに、先端部には前記本体部４の切り替え部材１２の端部に連結するマイナスドライバー様の係合部２８を形成している。更に、前記軸部２４を回転支持孔１９に挿入して組立てる時に、前記係合部２８が確実に前記切り替え部材１２の端部に係合するように、軸部２４の挿入の向きを正確に規定すべく、前記切欠部２１に対応した突部２９を該軸部２４の先端部側面に突設している。
【００２７】
そして、前記操作部材７の軸部２４を前記保持部材６の回転支持孔１９に突部２９と切欠部２１の位置を合わせて挿入すると、前記係合部２８が前記切り替え部材１２の端部に係合すると同時に、前記係止爪２７，２７が回転支持孔１９の裏面側孔縁に係止して抜止め状態となる。ここで、前記操作部材７の軸部２４の基部には、前記回転支持孔１９の孔内にスライド係合する摺動部３０と、前記回転規制部２０の内側で前記回転支持孔１９の表面側孔縁に摺接するスペーサー部３１とを有し、該スペーサー部３１の一部には半径方向外側へ延出した当止部分３２を形成し、該当止部分３２の両側縁は二つの当止部３３，３３となっている。前記スペーサー部３１の軸方向の高さは、前記回転規制部２０の突出高さに略等しくなるように設定している。また、前記操作部２３のレバー部２５の裏面側にも前記スペーサー部３１と同じ突出高さの摺動突起３４を形成し、前記保持部材６の背面側を摺動するようになっている。
【００２８】
前記本体部４の切り替え部材１２は、時計回りと反時計回りに１８０度回転させることにより、自由設定状態と番号固定状態とに切り替え可能となっている。そこで、本実施形態では、前記操作部材７の回転可能な範囲を１８０度に制限すべく、前記保持部材６に突設した一つの回転規制部２０に、前記操作部材７に設けた二つの当止部３３，３３が時計回りと反時計回りに１８０度回転させたときにそれぞれ当止するようになっている。この操作部材７の両回転終端に位置したときに、前述の自由設定状態と番号固定状態が対応するのである。本実施形態では、前記操作部材７のレバー部２５が下向きの状態が番号固定状態、即ち通常の使用状態となり、レバー部２５が上向きの状態が自由設定状態となる。それに応じて、前記保持部材６の背面側に「使用」と「設定」の表示を設けている。
【００２９】
更に、クリック感を出すために弾性係合手段を構成する凹部３５，３５を円板状の前記操作部２３の裏面側で１８０度離れた位置、即ち直径部分に対応する位置に形成している。前記保持部材６の背面側に突設した回転規制部２０の中央部に突設した突起２２が、前記操作部材７の回転状態が自由設定状態と番号固定状態になったときに、前記凹部３５，３５の一方が係合するようになっている。自由設定状態と番号固定状態に切り替え途中では、前記突起２２は操作部２３の裏面側に弾性的に圧接された状態で摺接している。そして、自由設定状態又は番号固定状態になるまで操作部材７を回転させると、突起２２が凹部３５に係合し、圧接状態が急に開放されることによりクリック感を呈するのである。このクリック感を呈すると同時に、前記回転規制部２０に何れか一方の当止部３３が当止するのである。
【００３０】
そして、前記操作部材７が、番号固定状態に対応する回転位置になっているときにのみ、前記カバー８の係合孔１３内に操作部２３及びレバー部２５が位置し、該カバー８を前板３の背面側に嵌着できるようになっている。こうすることにより、常に正しい使用方法を強制できるのである。また、前記カバー８を外さないと、前記操作部材７を回転操作できないので、不意に操作部材７に衣服等に引っ掛かって回転することもなくなるのである。
【００３１】
本発明では、前記切り替え部材１２と操作部材７の連結する構造は任意であり、前記切り替え部材１２の端部の形状に応じて係合部２８の形状を決めれば良い。尚、前記施錠部材５には、前記操作部材７の軸部２４を逃がすための横長孔３６を形成し、該横長孔３６に前記軸部２４が遊挿される。また、本実施形態では、前記施錠部材５は水平方向へ往復移動するものであり、前記保持部材６によって移動案内しているが、単に回転するラッチ状のものでも良く、その場合には前記カム板１１の代わりに摘み１０の回転軸に直接ラッチ状の施錠部材の基端部を固定し、該施錠部材５は前記保持部材６とは関係なく回転動作するのである。本発明において、前記保持部材６の最大の機能は、前記操作部材７を回転可能に保持することにある。
【００３２】
次に、図６〜図１３に基づいて第２実施形態を説明する。本実施形態もワゴンキャビネットＡの引出し２の前板３にダイヤル式符号錠Ｂを組み込んだものである。本実施形態のダイヤル式符号錠Ｂは、前記同様な本体部４と、施錠部材５、保持部材６及び操作部材７と、更に案内部材３７とから構成されている。前記本体部４と施錠部材５は第１実施形態と同一であるので、同一構成には同一符号を付してその説明は省略する。
【００３３】
本実施形態の保持部材６は、図７〜図１０に示すように、基本的な構造は前記同様であるが、前記突出部１７の前記切り替え部材１２に対応する位置に回転支持孔３８を形成するとともに、該回転支持孔３８を含む背面に背面視倒Ｕ字状の凹陥部３９を形成するとともに、該凹陥部３９内で前記回転支持孔３８の直上に小ブロック状の回転規制部４０を突設している。ここで、前記回転規制部４０は、前記突出部１７の背面よりも若干突出した高さを有している。また、前記回転支持孔３８の水平方向両側に、後述の案内部材３７の位置決めと回転防止のための切欠部４１，４１を形成している。
【００３４】
また、本実施形態の操作部材７は、図７及び図１１に示すように、合成樹脂製の一体成形品であり、円板状の操作部４２の裏面側で直径方向に離れた位置に一対の脚片４３，４３を延設し、両脚片４３，４３の基部には円筒部４４を形成し、前記脚片４３の外形が円筒部４４の延長面となっており、両脚片４３，４３の先端部には外向きに突出した係合爪４５，４５を形成している。前記係合爪４５の形状は、外側面が先すぼみの傾斜面４６であり、基端側は半径方向を向いた急峻な係止面４７となっている。また、前記操作部４２は、前記保持部材６の凹段部３９内に摺接するように配置され、外周の一部を半径方向外側へ延設し、その張出部４８の両端部の二箇所に前記回転規制部４０に当止する当止部４９，４９を段状に形成している。
【００３５】
また、前記操作部材７の裏面側の中心部には、前記切り替え部材１２に連結する係合部５０が形成されている。ここで、前記切り替え部材１２と係合部５０の構造は本発明では任意であり、切り替え部材１２の形状に応じて係合部５０の構造、形状が決定される。また、前記操作部４２の表面側には、図７及び図９に示すように、回転位置を表示する矢印５１を突設するとともに、該矢印５１の中央部にコインを係合可能なコイン係合溝５２を形成している。
【００３６】
そして、前記案内部材３７は、図７及び図１２に示すように、合成樹脂製の一体成形品であり、前記本体部４の背面と前記保持部材６の背面との間の空間に嵌合し、前記操作部材７を回転可能に抜止め保持するとともに、前記操作部材７の回転操作時にクリック感を出すために弾性係合手段の一部を構成している。具体的には、前記案内部材３７は、中心に円孔５３を形成した円筒状の部材であり、外周面の直径部分に軸方向に延びた係合突起５４，５４を突設し、該係合突起５４，５４を前記回転支持孔３８の孔縁に形成した切欠部４１，４１に係合し、回転規制状態で装着できるようになっている。また、前記係合突起５４，５４以外の一端部には回転支持孔３８の裏面側孔縁に当止する段部５５，５５が形成されている。また、前記案内部材３７の他端部であり、前記円孔５３の一部に拡径部５６を形成し、該円孔５３と拡径部５６との間の係合段部５７に前記操作部材７の脚片４３，４３の係合爪４５，４５が係止状態で回転可能に案内するのである。更に、前記拡径部５６の直径位置の二箇所に、前記切り替え部材１２が自由設定状態と番号固定状態の何れかになったときに、前記脚片４３，４３の係合爪４５，４５が半径方向外側へ弾性復元して係合する係合凹部５８，５８を形成している。
【００３７】
組み立てる際には、先ず前記保持部材６の両開口１８，１８に施錠部材５の基部を挿入し、それから前記保持部材６の回転支持孔３８の表面側から前記操作部材７の両脚片４３，４３を挿入するとともに、裏面側から前記施錠部材５の横長孔３６を通して両脚片４３，４３に円筒状の前記案内部材３７を外挿し、該案内部材３７の係合突起５４，５４を前記回転支持孔３８の孔縁に形成した切欠部４１，４１に係合すると同時に、前記両脚片４３，４３の係合爪４５，４５を円孔５３内の係合凹部５８，５８に係合する。この状態で、前記操作部材７の操作部４２が保持部材６の凹陥部３９内に位置し、該操作部４２と案内部材３７とで前記回転支持孔３８の表裏から挟んだ状態となる。ここで、前記操作部材７は、案内部材３７の円孔５３が軸受となって回転可能に支持されるのである。それから、前記保持部材６を本体部４の背面側にネジ止めすると、前記操作部材７の係合部５０が、本体部４の切り替え部材１２に連結されるとともに、前記施錠部材５の係合凹部１５がカム板１１のピン１４に係合する。
【００３８】
そして、図８に示すように、前記本体部４を前板３の前方から押し込んで嵌め殺して取付け、それから裏カバー５９を装着して保持部材６を隠蔽する。前記裏カバー５９には、前記操作部材７の操作部４２の内、前記矢印５１の部分が露出するような孔６０が形成されている。そして、前記孔６０の周囲には、図１３に示すような、表示シート６１を貼っている。表示シート６１には、「設定」と「使用」とそれらの間で回転させる円弧状矢印を表示している。そして、前記操作部材７の矢印５１の向きが、「使用」（図１３（ａ）参照）あるいは「設定」（図１３（ｂ）参照）を向いているときに、番号固定状態あるいは自由設定状態になっていることを示すのである。図１３（ｃ）及び（ｄ）のように、矢印５１が中間位置になっているときは、自由設定状態と番号固定状態の何れにもなっておらず、所定の操作は行えない。尚、前記回転規制部４０は、前記保持部材６の代わりに前記前板３の裏カバー５９に設けることも可能である。
【符号の説明】
【００３９】
Ａ  ワゴンキャビネット、  Ｂ  ダイヤル式符号錠、
１  筐体、                ２  引出し、
３  前板、                ４  本体部、
５  施錠部材、            ６  保持部材、
７  操作部材、            ８  カバー、
９  ダイヤル、            １０  摘み、
１１  カム板、            １２  切り替え部材、
１３  係合孔、            １４  ピン、
１５  係合凹部、          １６  空間、
１７  突出部、            １８  開口、
１９  回転支持孔、        ２０  回転規制部、
２１  切欠部、            ２２  突起、
２３  操作部、            ２４  軸部、
２５  レバー部、          ２６  コイン係合溝、
２７  係止爪、            ２８  係合部、
２９  突部、              ３０  摺動部、
３１  スペーサー部、      ３２  当止部分、
３３  当止部、            ３４  摺動突起、
３５  凹部、              ３６  横長孔、
３７  案内部材、          ３８  回転支持孔、
３９  凹陥部、            ４０  回転規制部、
４１  切欠部、            ４２  操作部、
４３  脚片、              ４４  円筒部、
４５  係合爪、            ４６  傾斜面、
４７  係止面、            ４８  張出部、
４９  当止部、            ５０  係合部、
５１  矢印、              ５２  コイン係合溝、
５３  円孔、              ５４  係合突起、
５５  段部、              ５６  拡径部、
５７  係合段部、          ５８  係合凹部、
５９  裏カバー、          ６０  孔、
６１  表示シート。
【図１】
0005604866.tif 000002
【図２】
0005604866.tif 000003
【図３】
0005604866.tif 000004
【図４】
0005604866.tif 000005
【図５】
0005604866.tif 000006
【図６】
0005604866.tif 000007
【図７】
0005604866.tif 000008
【図８】
0005604866.tif 000009
【図９】
0005604866.tif 000010
【図１０】
0005604866.tif 000011
【図１１】
0005604866.tif 000012
【図１２】
0005604866.tif 000013
【図１３】
0005604866.tif 000014